(57)【要約】【課題】屋根外面の露出部分を低減して外観を向上することができ、屋根材の敷設施工時に容易に設置することができ、且つ屋根材の働き幅を変更する場合にも容易に対応することができる耐風クリップを提供する。【解決手段】軒側の屋根材５の棟側部分の上に棟側の屋根材５の軒側部分を重ねながら軒側から棟側へ向けて順次屋根材５を葺き上げる際に設置される耐風クリップ１に関する。この耐風クリップ１は、屋根下地上に軒棟方向と直交する方向に敷設された一列目の屋根材５ａよりも棟側において屋根下地に固定される固定部２を具備する。前記固定部２から軒側に向けて延出され、前記一列目の屋根材５ａよりも棟側の二列目の隣り合う二つの屋根材５ｂの間に配置される支持部３を具備する。前記支持部３の先端に設けられ、前記二列目の屋根材５ｂより棟側の三列目の屋根材５ｃの軒側端部に係止される係止部４を具備する。【選択図】図１
2007270469.tif 000002
【特許請求の範囲】
【請求項１】
軒側の屋根材の棟側部分の上に棟側の屋根材の軒側部分を重ねながら軒側から棟側へ向けて順次屋根材を葺き上げる際に設置される耐風クリップであって、屋根下地上に軒棟方向と直交する方向に敷設された一列目の屋根材よりも棟側において屋根下地に固定される固定部と、前記固定部から軒側に向けて延出され、前記一列目の屋根材よりも棟側の二列目の隣り合う二つの屋根材の間に配置される支持部と、前記支持部の先端に設けられ、前記二列目の屋根材より棟側の三列目の屋根材の軒側端部に係止される係止部とを具備することを特徴とする耐風クリップ。
【請求項２】
上記支持部が、上記一列目の屋根材の棟側端部が配置される段部を備えることを特徴とする請求項１に記載の耐風クリップ。
【請求項３】
上記支持部が、上記一列目の屋根材と上記二列目の屋根材との間に挟持される挟持部を備えることを特徴とする請求項１又は２に記載の耐風クリップ。
【請求項４】
上記係止部に、雪止めが設けられていることを特徴とする請求項１乃至３のいずれかに記載の耐風クリップ。
【発明の詳細な説明】
【技術分野】
【０００１】
本発明は、屋根に設ける耐風クリップに関するものである。
【背景技術】
【０００２】
海岸沿いや山麓など、強風環境下に建てられた建物では、屋根の屋根材（亙等）が風に煽られて浮き上がることを防止するために、耐風クリップを使用することがある。
【０００３】
図７に耐風クリップの従来の敷設例を示す。図示の例では、屋根材５を敷設するにあたり、複数の屋根材５を軒棟方向と直交する方向に一列に配置する（図７（ａ）参照）。この屋根材５を釘等で固着するにあたっては、各屋根材５に横方向に並んで四個設けられた固着孔１１のうち、左右対象位置にある二つの固着孔１１と耐風クリップ１の固着孔９とを位置合わせして、前記屋根材５の上に耐風クリップ１’を配置し、各固着孔９，１１を通して屋根下地に固着具（図示せず）を打入する。これにより、屋根材５を固定すると共に屋根材５上に耐風クリップ１’を固定する（図７（ｂ）参照）。次に、前記敷設された屋根材５の棟側に別の複数の屋根材５を、軒側の屋根材５の棟側部分の上に棟側の屋根材５の軒側部分が重なるように配置すると共に、軒側の屋根材５に対して棟側の屋根材５の配置位置を横方向にずらして千鳥状に配置し、棟側の屋根材５の軒側端部に耐風クリップ１’の係止片４’を係止する（図７（ｃ）参照）。
【０００４】
このような動作を繰り返すことにより、屋根材５が敷設される。
【特許文献１】特開２００３−３６１３号公報
【発明の開示】
【発明が解決しようとする課題】
【０００５】
しかし、上記従来技術によれば、耐風クリップ１’は軒側の屋根材５の上面に固定されるため、バランス上、棟側の屋根材５にはそれぞれ二つの耐風クリップ１’が係止されることとなる。そのため、屋根材５を敷設した後には、屋根の上面に多数の耐風クリップ１’の係止片４’が露出して外観が悪くなるという問題があった。
【０００６】
また、屋根材５を屋根下地に固定すると同時にこの屋根材５に位置合わせして耐風クリップ１’を固定するため、屋根材５の敷設作業時には屋根材５の位置合わせと耐風クリップ１’の位置合わせとを同時に行わなければならず、かかる作業を迅速に行うためには作業者の熟練を要し、経験の浅い作業者の場合には作業効率の低下を招くという問題があった。
【０００７】
また、棟側の屋根材５の固着孔１１の位置に対する耐風クリップ１’の係止片４’の位置が一定であるため、敷設された屋根材５における屋根外面に露出する部分の軒棟方向の寸法（働き幅）は一定になってしまい、異なる働き幅で屋根材５を敷設するためには耐風クリップ１’の寸法を変更する必要がある。このため、寸法の異なる他種類の耐風クリップ１’を用意しなければならないという問題があった。
【０００８】
これに対し、例えば特許文献１では、軒棟方向の寸法を伸縮可能とした耐風クリップが提案されているが、この場合、上記三番目の問題は解消されるものの、他の問題は解消されず、また、耐風クリップの構造の複雑化と耐風クリップを作製するための部品点数の増加という新たな問題が生じてしまうものであった。
【０００９】
本発明は上記の点に鑑みて為されたものであり、屋根外面の露出部分を低減して外観を向上することができ、屋根材の敷設施工時に容易に設置することができ、且つ屋根材の働き幅を変更する場合にも容易に対応することができる耐風クリップを提供することを目的とするものである。
【課題を解決するための手段】
【００１０】
本発明に係る耐風クリップ１は、軒側の屋根材５の棟側部分の上に棟側の屋根材５の軒側部分を重ねながら軒側から棟側へ向けて順次屋根材５を葺き上げる際に設置される耐風クリップ１であって、屋根下地上に軒棟方向と直交する方向に敷設された一列目の屋根材５ａよりも棟側において屋根下地に固定される固定部２と、前記固定部２から軒側に向けて延出され、前記一列目の屋根材５ａよりも棟側の二列目の隣り合う二つの屋根材５ｂの間に配置される支持部３と、前記支持部３の先端に設けられ、前記二列目の屋根材５ｂより棟側の三列目の屋根材５ｃの軒側端部に係止される係止部４とを具備することを特徴とする。
【００１１】
このため、屋根材５の軒側端部を耐風クリップ１の係止部４によって係止し、強風に煽られて屋根材５が浮き上がることを防止することができる。また、耐風クリップ１は屋根下地に直接固定することができ、屋根材５の敷設とは別個に屋根下地に取り付けることができると共にその取付位置の自由度が高くなる。
【００１２】
この耐風クリップ１においては、上記支持部３が、上記一列目の屋根材５ａの棟側端部が配置される段部６を備えることが好ましい。この場合、耐風クリップ１を取り付ける際に支持部３を上記一列目の屋根材５ａの上に配置するにあたって、前記段部６に前記屋根材５の棟側端部を配置することができ、この屋根材５ａの棟側端部が邪魔になることなく耐風クリップ１を容易に取り付けることができる。
【００１３】
また、上記支持部３が、上記一列目の屋根材５ａと上記二列目の屋根材５ｂとの間に挟持される挟持部７を備えることも好ましい。この場合、耐風クリップ１の支持部３は一列目の屋根材５ａと二列目の屋根材５ｂにて強固に支持されて、反り返り等が発生しにくくなり、耐風クリップ１が、この耐風クリップ１にて係止されている屋根材５ごと浮き上がってしまうことを防止することができて、強風に煽られた場合の屋根材５の浮き上がりを更に確実に防止することができる。
【００１４】
また、上記係止部４に雪止め８を設けるようにすれば、屋根の雪止め８としての機能も有する耐風クリップ１を得ることができる。
【発明の効果】
【００１５】
本発明によれば、耐風クリップ１は屋根材５における固着孔１１の位置とは無関係に設けることができて、一つの屋根材５に対して一つの耐風クリップ１のみを設けることができ、このため、屋根の外部に露出する耐風クリップ１の係止部４の数を低減して、屋根の外観を向上することができる。また、耐風クリップ１を屋根材５の敷設とは別個に屋根下地に対して取り付けることができ、熟練を要することなく容易且つ迅速に取り付けることができる。更に、屋根材５の働き幅を変更する場合には屋根下地上の固定部２の配置位置を軒棟方向に変動させることで、容易に対応することができるものである。
【発明を実施するための最良の形態】
【００１６】
以下、本発明を実施するための最良の形態を説明する。
【００１７】
図１に、耐風クリップ１の一例を示す。この耐風クリップ１は、一枚の金属板に打ち抜き加工や曲げ加工を施すことにより形成することができる。
【００１８】
図示の耐風クリップ１の固定部２は平板状に形成され、上下方向に貫通する二つの固着孔９が設けられている。この固定部２の一側端縁から上方に向けて支持部３が設けられている。この支持部３は固定部２の前端縁よりも前方に突出するように形成されている。支持部３の下面側には、段部６が設けられている。この段部６は、固定部２の位置よりも前方側の部分が上方に向けて凹入するように形成されている。また、支持部３の上端部には、当接片１０が設けられている。当接片１０は支持部３の上端縁から、固定部２とは反対側の側方に向けて延出しており、支持部３の前端部から後端部に亘って設けられている。
【００１９】
支持部３の前端部には、係止部４が設けられている。係止部４は支持部３の前端縁から上方に向けて延出した軒係止片４ａと、この軒係止片４ａの上端から後方に延出した上係止片４ｂとを備える。上係止片４ｂの後端側部分は上方に向けて若干の傾斜を有している。
【００２０】
この耐風クリップ１を用いた屋根材５の敷設例を図２に示す。
【００２１】
図示の屋根材５は、平板状で、且つ棟側の端縁が山形状に突出する形状を有する平面視五角形状に形成されており、軒棟方向と直交する方向に並ぶ四個の固着孔１１が設けられている。この屋根材５は、屋根下地上に配置された状態で、前記固着孔１１を通して屋根下地に釘等の固着具（図示せず）を打入することにより、屋根下地上に敷設される。この屋根材５は、屋根下地上に、軒側の屋根材５の棟側部分の上に棟側の屋根材５の軒側部分を重ねながら軒側から棟側へ向けて順次葺き上げるようにして、敷設される。このとき、軒棟方向に直交する方向に並ぶ複数の屋根材５が、軒棟方向に沿って複数列敷設され、且つ、一列おきに列内の屋根材５の配置位置を横方向に屋根材５の半個分の寸法だけずらして、千鳥状に配置される。
【００２２】
このような屋根材５の敷設の際に耐風クリップ１を設置するにあたっては、屋根下地上に敷設された、軒棟方向と直交する方向に一列に並ぶ屋根材５（以下、一列目の屋根材５ａという）の棟側に、次の列の屋根材５（以下、二列目の屋根材５ｂという）を敷設する際に、屋根材５の敷設と耐風クリップ１の設置とを交互に行う。二列目の屋根材５ｂの敷設の際は、一列目の屋根材５ａの棟側部分の上に、二列目の屋根材５ｂの軒側部分が重なるように前記二列目の屋根材５ｂを配置し、この状態で二列目の屋根材５ｂの固着孔１１を通して釘等の固着具（図示せず）を屋根下地に打入する。また、耐風クリップ１の設置の際には、耐風クリップ１を前端側が軒側に配置されるようにして、支持部３の固定部２とは反対側の側面を前記敷設された屋根材５ｂの側端面に当接すると共に、当接片１０を前記屋根材５ｂの上面に配置し、固定部２を一列目の屋根材５ａよりも棟側で屋根下地上に配置する。支持部３の前端側は一列目の屋根材５ａの上に配置される。このとき、支持部３の段部６の内側に一列目の屋根材５ａの棟側端部が配置されることで、固定部２が浮き上がることなく耐風クリップ１を配置することができる。固定部２の軒棟方向の配置位置は、屋根材５の働き幅に応じて適宜調整する。この状態で、外面に露出する固定部２の固着孔９を通じて屋根下地に釘等の固着具（図示せず）を打入し、耐風クリップ１を設置する。続いて、更に屋根材５ｂを敷設すると、この屋根材５ｂにて固定部２が遮蔽され、支持部３が隣り合う屋根材５ｂ間に配置される。この動作を繰り返すことで屋根材５ｂの敷設と耐風クリップ１の取り付けを行う。
【００２３】
次に、上記のように敷設された二列目の屋根材５ｂの棟側に、次の列の屋根材５（以下、三列目の屋根材５ｃという）を二列目の屋根材５ｂの場合と同様に敷設する。三列目の屋根材５ｃの軒棟方向と直交する方向の配置位置は、一列目の屋根材５ａと同一とする。このとき、三列目の屋根材５ｃの敷設にあたっては、この屋根材５ｃを棟側から耐風クリップ１の係止部４に向けて近づけ、この屋根材５ｃの軒側端部を係止部４の内側に挿入して、この屋根材５ｃの軒側端面が軒係止片４ａに当接すると共に上面が上係止片４ｂに当接するようにして、係止するものである。
【００２４】
このようにして耐風クリップ１を設置すると、屋根材５の軒側端部は耐風クリップ１の係止部４によって係止され、強風に煽られて屋根材５が浮き上がることを防止することができる。また、耐風クリップ１は屋根材５における固着孔１１の位置とは無関係に設けることができ、一つの屋根材５に対して一つの耐風クリップ１のみを設けることができる。このため、屋根の外部に露出する耐風クリップ１の係止部４の数が低減され、屋根の外観が向上する。また、耐風クリップ１は屋根材５の敷設とは別個に屋根下地に対して取り付けることができ、熟練を要することなく容易且つ迅速に取り付けることができる。更に、屋根材５の働き幅を変更する場合には屋根下地上の固着部２の配置位置を軒棟方向に変動させることで、容易に対応することができる。
【００２５】
図３，４に、耐風クリップ１の他の一例を示す。この耐風クリップ１も、一枚の金属板に打ち抜き加工や曲げ加工を施すことにより形成することができる。
【００２６】
図示の耐風クリップ１の固定部２は平板状に形成され、上下方向に貫通する二つの固着孔９が設けられている。この固定部２の一側端縁から上方に向けて支持部３が設けられている。この支持部３は固定部２の前端縁よりも前方に突出するように形成されている。この支持部３は、固定部２側の縦片３ａと、この固定部２とは反対側の後述する挟持部７側の縦片３ｂとで構成され、この各縦片３ａ，３ｂの上端同士が接続された断面逆Ｕ字状に形成されている。支持部３の下面側には、固定部２側の縦片３ａに段部６が設けられている。この段部６は、固定部２の位置よりも前方側の部分が上方に向けて凹入するように形成されている。また、支持部３の挟持部７側の縦片３ｂの下端縁の位置は、前記段部６の上側縁部と同一の高さ位置となっている。挟持部７は、前記縦片３ｂの下端縁から、固定部２とは反対側の側方に向けて延出されている。
【００２７】
支持部３の前端部には、係止部４が設けられている。係止部４は支持部３の前端縁から上方に向けて延出した軒係止片４ａと、この軒係止片４ａの上端から後方に延出した上係止片４ｂとを備える。上係止片４ｂの後端側部分は上方に向けて若干の傾斜を有している。
【００２８】
ここで、上記挟持部７の前端縁の位置は、上記係止部４の配置位置に達することが好ましく、具体的には図示のように係止部４の上係止片４ｂの下方に挟持部７の前端縁が位置することが好ましい。
【００２９】
この耐風クリップ１を用いた屋根材５の敷設例を図５に示す。
【００３０】
図示の屋根材５は、図２に示すものと同様のものであり、図２に示すものと同様にして屋根材５に敷設される。
【００３１】
このような屋根材５の敷設の際に耐風クリップ１を設置するにあたっては、屋根下地状に敷設された一列目の屋根材５ａの棟側に、二列目の屋根材５ｂを敷設する際に、屋根材５の敷設と耐風クリップ１の設置とを交互に行う。二列目の屋根材５ｂの敷設の際は、一列目の屋根材５ａの棟側部分の上に、二列目の屋根材５ｂの軒側部分が重なるように前記二列目の屋根材５ｂを配置し、この状態で二列目の屋根材５ｂの固着孔１１を通して釘等の固着具（図示せず）を屋根下地に打入する。また、耐風クリップ１の設置の際には、耐風クリップ１を前端側が軒側に配置されるようにして、支持部３の挟持部７側の縦片３ｂの側面を前記敷設された屋根材５ｂの側端面に当接すると共に、挟持部７を一列目の屋根材５ａと二列目の屋根材５ｂとの間に差し入れ、固定部２を一列目の屋根材５ａよりも棟側で屋根下地上に配置する。支持部３の前端側は一列目の屋根材５ａの上に配置される。このとき、支持部３の段部６の内側に一列目の屋根材５ａの棟側端部が配置されることで、固着具が浮き上がることなく耐風クリップ１を配置することができる。固定部２の軒棟方向の配置位置は、屋根材５の働き幅に応じて適宜調整する。この状態で、外面に露出する固定部２の固着孔９を通じて屋根下地に釘等の固着具（図示せず）を打入し、耐風クリップ１を設置する。続いて、更に屋根材５ｂを敷設すると、この屋根材５ｂにて固定部２が遮蔽され、支持部３が隣り合う屋根材５ｂ間に配置される。この動作を繰り返すことで屋根材５ｂの敷設と耐風クリップ１の取り付けを行う。
【００３２】
次に、上記のように敷設された二列目の屋根材５ｂの棟側に、三列目の屋根材５ｃを二列目の屋根材５ｂの場合と同様に敷設する。三列目の屋根材５ｃの軒棟方向と直交する方向の配置位置は、一列目の屋根材５ａと同一とする。このとき、三列目の屋根材５ｃの敷設にあたっては、この屋根材５ｃを棟側から耐風クリップ１の係止部４に向けて近づけ、この屋根材５ｃの軒側端部を係止部４の内側に挿入して、この屋根材５ｃの軒側端面が軒係止片４ａに当接すると共に上面が上係止片４ｂに当接するようにして、係止するものである。
【００３３】
このようにして耐風クリップ１を設置すると、上記図１に示した耐風クリップ１を設置した場合と同様の効果を奏し得る。
【００３４】
更に、挟持部７が一列目の屋根材５ａと二列目の屋根材５ｂとの間に挟持されているので、耐風クリップ１の支持部３は一列目の屋根材５ａと二列目の屋根材５ｂにて強固に支持され、反り返り等が発生しにくくなる。このため、耐風クリップ１が、この耐風クリップ１にて係止されている屋根材５ごと浮き上がってしまうことを防止することができ、強風に煽られた場合の屋根材５の浮き上がりを更に確実に防止することができる。
【００３５】
また、上記例示した耐風クリップ１に雪止め８を設けることもできる。図６は図１に示す耐風クリップ１に雪止め８を設けた場合の例を示す。
【００３６】
図示の例では雪止め８は係止部４の上係止片４ｂの上方に設けられており、上方に突出する側面視山形状に形成されている。この雪止め８の後端縁は、上係止片４ｂの後端縁に接続されている。
【００３７】
このような雪止め８を設けると、耐風クリップ１に雪止め８としての機能も付与することができる。
【００３８】
尚、上記のような耐風クリップ１において、支持部３の前端に係止部４に代えて雪止め８のみを設けると、耐風クリップ１としての機能を有さない雪止めを屋根に設置することもできる。
【図面の簡単な説明】
【００３９】
【図１】本発明の実施の形態の一例を示すものであり、（ａ）は一側面図、（ｂ）は正面図、（ｃ）は他側面図、（ｄ）は底面図である。
【図２】同上の実施の形態における敷設例を示すものであり、（ａ）及び（ｂ）は平面図、（ｃ）は（ａ）のイ部分の拡大図、（ｄ）は（ｂ）のロ部分の拡大図である。
【図３】本発明の実施の形態の他例を示すものであり、（ａ）は一側面図、（ｂ）は正面図、（ｃ）は他側面図、（ｄ）は底面図である。
【図４】同上の斜視図である。
【図５】同上の実施の形態における敷設例を示すものであり、（ａ）及び（ｂ）は平面図、（ｃ）は（ａ）のイ部分の拡大図、（ｄ）は（ｂ）のロ部分の拡大図である。
【図６】本発明の実施の形態の更に他例を示すものであり、（ａ）は一側面図、（ｂ）は正面図、（ｃ）は他側面図、（ｄ）は底面図である。
【図７】従来技術を示すものであり、（ａ）乃至（ｃ）は平面図である。
【符号の説明】
【００４０】
１  耐風クリップ
２  固定部
３  支持部
４  係止部
５，５ａ，５ｂ，５ｃ  屋根材
６  段部
７  挟持部
８  雪止め
【図１】
2007270469.tif 000003
【図２】
2007270469.tif 000004
【図３】
2007270469.tif 000005
【図４】
2007270469.tif 000006
【図５】
2007270469.tif 000007
【図６】
2007270469.tif 000008
【図７】
2007270469.tif 000009